(57)【要約】【課題】シガレットの包装体【解決手段】大きいエリアのパック面、すなわち、後側面（１３）を備える直方体のシガレットパックが、この後側面（１３）の領域にプリント媒体として機能するブランク（２３）を備えている。前記ブランクは、フィルム製の外側包装材（１９）とパック（１０）の間に配置されている。ブランク（２３）の上部領域は、外側包装材の上部、すなわち、フィルムキャップ（２２）に分離可能に接続されており、パック（１０）が初めて開封されたとき取り出される。【選択図】図６
2004526633.tif 000002
【特許請求の範囲】
【請求項１】
大きい表面エリアである前側（１５）とこれに対応する後側（１３）と、全周に延出している引裂き開放ストリップ（２０）を備えているフィルム製の外側包装材（１９）とを有するパック、特に、シガレットパックであって、
別体のブランク（２３）が、プリント媒体すなわちクーポン等として、外側包装材（１９）と（シガレット）パック（１０）の間に配置されており、下記の（ａ）（ｂ）を特徴とするパック。
（ａ）ブランク（２３）すなわちプリント媒体が、大きい表面エリアのパック側（１３，１５）の一方と（シガレット）パック（１０）との間にフィットされている、
（ｂ）ブランク（２３）すなわちプリント媒体は、接着剤による接着、熱シール等によって、外側包装材（１９）に接続されている、
【請求項２】
１つの端面（１８）に隣接して配置され、上部すなわち外側包装材のキャップ状部分−フィルムキャップ（２２）−を取り出すことを意図する引裂き開放ストリップ（２０）を備えるパック、すなわち、シガレットパックであって、下記の（ａ）（ｂ）を特徴とする請求項１記載のパック。
（ａ）ブランク（２３）すなわちプリント媒体が、後側（１３）の領域に配置されている、
（ｂ）ブランク（２３）すなわちプリント媒体が、分離可能なフィルムキャップ（２２）またはキャップの後壁（２４）の領域において外側包装材（１９）の内側に接着によって接続されている、
【請求項３】
ブランク（２３）は、接着剤スポット、特に、フィルムキャップ（２２）の領域における外側包装材（１９）の内側において互いに離間されている２つの接着剤スポット（２５，２６）によって外側包装材（１９）またはフィルムキャップ（２２）に接続されている点を特徴とする請求項１または２記載のパック。
【請求項４】
ブランク（２３）は、後側（１３）の寸法よりも僅かに小さい寸法を持つ長方形の設計をなしている点を特徴とする請求項１またはそれ以外の請求項の１記載のパック。
【請求項５】
ブランク（２３）は、複層の設計、特に、折り畳まれたブランク（２３）の内側脚（２８）が、下方に向く自由な端部を有し、外側包装材（１９）に接続された外側脚（２９）が、上方に向く自由な端部を有するような手風琴様の折り畳み部を備えるストリップの形態をなす点を特徴とする請求項１またはそれ以外の請求項の１記載のパック。
【請求項６】
ブランクは、特に、後側（１３）のベース領域において、好ましくは容易に釈放可能である接着剤の小塊（２７）によってパック（１０）に接続されており、この場合、ブランク（２３）は、その内側脚（２８）がパック（１０）の後側（１３）に接続される複層設計をなしている点を特徴とする請求項１またはそれ以外の請求項の１記載のパック。
【請求項７】
下記の（ａ）〜（ｅ）を特徴とする請求項１〜６の１または複数記載のパックの製造方法。
（ａ）フィルムウエブ（３０）には、接着剤のスポット（２５，２６）、特に、互いに離間した対をなす接着剤のスポット（２５，２６）が供給される、
（ｂ）次に、ストリップウエブ（３６）の形態をなす連続した引裂き開放ストリップ（２０）が、正確に配置される態様でフィルムウエブ（３０）の面にフィットされる、
（ｃ）ブランクの副アセンブリー（３２）の領域において、外側包装材（１９）のためのブランクがフィルムウエブ（３０）から切断されて、直立面内に待機して保持される、
（ｄ）横断方向に向く水平なパック移送路（３３）の面上で、正確に配置された態様で上側にフィットされたブランク（２３）を伴うパックが、ブランクの副アセンブリー（３２）に供給される、
（ｅ）外側包装材（１９）は、ブランク（２３）を備えているパック（１０）を囲んで折り曲げられ、接着剤スポット（２５，２６）が、フィルムキャップ（２２）の領域において外側包装材（１９）に接続される、
【請求項８】
下記の（ａ）〜（ｅ）を特徴とする請求項１〜６の１または複数記載のパックの製造装置。
（ａ）外側包装材（１９）用のブランクを製造するためのフィルムウエブ（３０）は、接着剤スポット（２５，２６）を付与する目的で、接着ステーション（３４）を経て移送される、
（ｂ）連続したストリップウエブ（３６）が、引裂き開放ストリップ（２０）を形成する目的でフィルムウエブ（３０）の面にフィットされる、
（ｃ）ブランクの副アセンブリー（３２）の領域において、外側包装材（１９）用のブランクが、垂直面内において、準備されたフィルムウエブ（３０）から切断されることができる、
（ｄ）水平なパック移送路（３３）の面上において、パック（１０）が、準備された外側包装材（１９）を受け入れる目的で、ブランクの副アセンブリー（３２）に供給される、
（ｅ）移送方向を見て、パック移送路（３３）の上方に、パック（１０）に接着剤の小塊（２７）を付与するための接着副アセンブリー（３８）が設けられており、これに続いて、ブランク（２３）を供給するためのブランク供給体（３９）が設けられている、
【発明の詳細な説明】
【０００１】
この発明は、パック、特に、大きな表面エリアの前側部と、これに対応する後側と、周囲全体に亘って延出する引き裂き開放ストリップを備えるフィルムから製造される外側包装材と、プリント媒体として配置される別体のブランク、特に、外側包装材と（シガレット）パックの間のクーポンとを有するパックに関する。この発明はまた、そのようなパックを製造する方法と装置に関する。
【０００２】
シガレットパックの製造においては、パック面にフィットするプリント情報、または広告素材付きのシート状挿入体に対する増大する需要がある。薄紙等で製造されたプリント媒体をシガレットパックに付加するために、正確に言えば、従来のフィルム製の外側包装材とパックそれ自体との間の領域に付加するために、様々な提案がなされている。
【０００３】
この発明は、挿入体、すなわち、別体のブランクが、包装体に直接フィットされパックがはじめて開封されたときユーザー−フレンドリーな態様で提供されるパックを提案することであり、その結果として、前記の広告または情報は、消費者に到達する。
【０００４】
この目的を達成するために、この発明のパックは、以下の特徴を有する。
（ａ）ブランクまたはプリント媒体が、パックの大表面積側の一方と外側包装材の間にフィットされる。
（ｂ）ブランクすなわちプリント媒体は、接着剤によって外側包装材に接着される。
プリント媒体を特に（シガレット）パックの大きな表面エリアの後側に配置することは、閉じられているパックに情報を付与するための対応する表面エリアの利用を可能にする。その理由は、プリント媒体が、パックのすべての側または後側を覆うことができるからである。パックが最初に開封されるとき、つまり、外側包装材が取り除かれるとき、プリント媒体が外側包装材に接続されているという事実によって、消費者のそれに対する注意を更に余計に呼び起こす。
【０００５】
この発明のシガレットパックの場合は、プリント媒体がパックの後側にフィットされており、引裂き開放ストリップ−フィルムキャップ−によって分離することができる上部の外側包装材の部分に接続されており、この点が特に有利である。このパックが、通常どおりに初めて開封されると、このフィルムキャップは、外側包装材から分離される。この場合、前記フィルムキャップに接続されているプリント媒体は、パック内部の位置から引き出されて消費者に提示される。
【０００６】
利用可能なプリント表面エリアの量は複層化によって、特に、プリント媒体の手風琴（ｃｏｎｃｅｒｔｉｎａ）様の設計によって増大することができる。更に、プリント媒体が、パックまたはパックの後側に、正確に言うと、釈放可能に接着剤によって接続される点が１つの特別な様相である。可能な接続手段は、「接着／非接着」（”ｓｔｉｃｋ／ｎｏ  ｓｔｉｃｋ”）タイプの接着剤、すなわち、一定時間後に接着効果を自動的に喪失する接着剤である。
【０００７】
この発明の文脈に言うパックの製造中において、その製造手順は、外側包装材を製造するためのフィルムウエブが、プリント媒体を取り付けるために、製造対象であるフィルムキャップの領域において、正確に配置された態様で接着剤のエリアを具備している手順である。接着剤の複数のスポットが、互いに適当に離間した対をなしてフィルムウエブに付与される。この接着剤スポットは、両方ともホット−メルト型であり長時間に亘って有効な接着効果を持続するものが有利である。
【０００８】
この発明のパックの形態と製造に関する別の詳細は、添付図面を参照しつつ、より詳しく説明される。
【０００９】
これらの添付図面は、シガレットパックすなわち、少なくとも２つの互いに向き合う（大きな）表面を備える直方体のパックの形態と製造に関する。このことは、好ましい一例として描かれているヒンジ蓋付きタイプのパック１０に当て嵌まる。このタイプのパックは、（底部）ボックス部１１と、蓋（１２）から形成されている。この２つのパーツは、パック１０の大きい表面エリアの後側１３の領域において、横断方向に向く直線状の関節の領域においてピボットすることが可能なように互いに接続されている。したがって、パック１０の後側１３は、１つながりの部材をなしている。
【００１０】
対応する大表面エリアの前側１５は、向かい合って形成されている。更に、パック１０は、幅の狭い両直立側面１６と、ベース面１７および端面１８によって区画されている。
【００１１】
結果として形成されたパックは、外側包装材１９によって完全に包囲されている。前記外側包装材は、薄い透明な、すなわち、透けて見えるフィルムから構成されている。この外側包装材１９は、パック１０が最初に開封されるとき少なくとも部分的に取り除かれる。この目的で、四方に延出している引裂き開放ストリップ２０が、端面１８に向く上部領域において外側包装材１９に接続されている。引裂き開放ストリップ２０の自由な外端は、１つのグリップエンド２１として機能する。外側包装材１９を開放する目的で、外側包装材１９は、その上部副領域がベース部から完全に分離されるように、引裂き開放ストリップ２０を援用して切り離される。外側包装材の上部すなわちフィルムキャップ２２は、取り除かれる。
【００１２】
パック１０は、別体のブランク２３を備えている。この別体のブランクは、薄い材料、特に紙で構成されている。このブランク２３は、プリント媒体、すなわち、プリント情報および／または例えば広告と事実に関する装飾に限らず、景品付きくじ引きの詳細等のプリント情報を収容する機能を果たす。
【００１３】
ブランク２３は、パック１０と外側包装材１９の間の領域、正確に言うと、パックの大きい表面の一方の面に配置されている。ブランク２３を大きい表面エリアの後側１３に設けることは、特に有利である。その理由は、ブランク２３が一つながりの部材に設計されるからである。ブランク２３は、大なり小なり後側１３の面全体に亘るように延出するような大きさである。ブランク２３の外側は、外側包装材１９の外からはっきりと透けて見えるので、適当なプリントおよび／または情報がこの領域に設けられることができる。
【００１４】
ブランク２３は、その副領域が、外側包装材が開かれたときに取り出すことができるできるように、言い換えれば、フィルムキャップ２２の領域に位置するようにその大きさと配置が決められている。ブランク２３は、これがこの外側包装材１９と一緒に取り出されるように外側包装材１９に接続される。
【００１５】
１つの様相は、ブランク２３のキャップの後壁２４の領域における分離可能なフィルムキャップ２２への接続部である。外側包装材１９が開かれるとき、この接続部は、ブランク２３がフィルムキャップ２２と一緒に原位置から引き出される、厳密に言うと、他のやり方で破壊されたり、損傷されたりせずに、引き出される原因となる（図６参照）。
【００１６】
ブランク２３は、接着によって外側包装材１９に接続される。ブランク２３を、複数個の、特に２つの接着剤スポット２５、２６によって、キャップの後壁２４の面に固着することが有利である。これらは、ブランク２３の端部境界に隣接して、つまり、ブランク２３の上部コーナーに置いて互いに離間されている。接着剤のスポット２５、２６は、持続性接着剤、正確には、ホット−メルト形態をなす接着剤を含むことができる。
【００１７】
ブランク２３は、ベース部において、または、接着剤のスポット２５、２６から遠い部位に位置する領域においてパック１０に接続される、すなわち、ボックス部１１の領域内においてパックの後側１３に接続される。この接続は、フィルムキャップ２２が取り除かれたとき、ブランク２３が後側１３の面における位置から容易に引き出されることができるようにするために容易に釈放されなければならない。このために、中心にある１つの接着剤の小塊２７が設けられており、これがブランク２３を後側１３に接続している。この接続は、製造プロセス中、および、その後で、とにかくパックが最初に開封されるまでの間、ブランク２３がパック１０の面に正確に配置されることを可能にするという目的を特に有している。接着剤のこの小塊２７は、「接着／非接着」（”ｓｔｉｃｋ／ｎｏ  ｓｔｉｃｋ”）タイプの接着剤、すなわち、接着機能が減少する接着剤で有利に構成することができる。
【００１８】
有用な表面エリアを増大するために、ブランク２３は、複層のデザインを取ることができる。図５によれば、ブランク２３は、例えば、後側１３の幅に合わせて手風琴（ｃｏｎｃｅｒｔｉｎａ）の態様で、細長いストリップとして折り畳まれている。１つの内側脚２８が、後側１３と向き合ってこれに接しており、下方に向く自由な端部を備えている。１つの外側脚２９が、外側包装材１９に向かっており、上方を指向する自由な端部を備えている。内側脚２８は、ベース領域において、（釈放可能な態様で）接着剤の小塊２７を介してパック１０に接続されており、外側脚２９は、２つの接着剤スポット２５、２６を介して好ましく外側包装材１９すなわちフィルムキャップ２２に接続されている。ブランク２３の手風琴様の構造の場合は、折り畳み線が、後側１３の上部とベース部の領域において横断方向を向いている。
【００１９】
パック１０が、フィルムキャップ２２を持ち上げることによって、初めて開封されたときは、持ち上げられたフィルムキャップ２２は、折り畳まれたブランク２３を先ず広げ、次に、後側１３の面の位置から引き出させる（図７）。したがって、ブランク２３は、外側包装材１９とパック１０との間の位置から引き出されるばかりでなく、そのプロセス中に広げもする。
【００２０】
別の特定の様相は、説明したタイプのパック１０の製造である。図８に概略的に示す装置の場合には、フィルムウエブ３０が、リール３１から引き出されて、ブランク副アセンブリー３２に供給される。ブランク副アセンブリーの領域において、外側包装材１９用のブランクが垂直面の領域で切断され、パック１０に移送される。パック１０は、水平なパック移送路３３に沿って供給されて、同様にブランク副アセンブリー３２に供給される。
【００２１】
接着ステーション３４の領域において、フィルムウエブ３０は接着剤、好ましくは、ブランク２３を固着する目的で接着剤のスポット２５、２６を供給される。この目的で接着副アセンブリー３５が設けられており、これが接着ノズルによって接着剤のスポットを好ましく付与する。
【００２２】
次に、引裂き開放ストリップ２０が、正確に言うとストリップウエブ３６として、フィルムウエブに付与される。このストリップウエブは、同様にリール３７から引き出される。ブランク副アセンブリー３２において製造されつつある外側包装材１９用のブランクは、したがって、引裂き開放ストリップ２０と接着剤スポット２５、２６を既に備えている。図９から明らかなように、接着剤スポット２５、２６は、製造しようとするブランク内の位置に対応して、正確に位置決めされた態様で、正確には、引き出し開放ストリップ２０またはストリップウエブ３６に沿う一対の接着剤スポット２５，２６として、フィルムウエブ３０に付与される。
符号一覧
１０…パック，１１…ボックス部，１２…蓋，１３…後側，１４…直線状関節，１５…前側，１６…側面，１７…ベース面，１８…端面，１９…外側包装材，２０…引裂き開放ストリップ，２１…グリップエンド，２２…フィルム製キャップ，２３…ブランク，２４…キャップの後壁，２５…接着剤スポット，２６…接着剤スポット，２７…接着剤の小さい塊，２８…脚，２９…脚，３０…フィルムウエブ，３１…リール，３２…ブランク副アセンブリー，３３…パックの移送路，３４…接着ステーション，３５…接着副アセンブリー，３６…ストリップウエブ，３７…リール，３８…接着副アセンブリー，３９…ブランク供給体。
【図面の簡単な説明】
【図１】
シガレットパックの斜視図。
【図２】
製造段階にある図１のパックの同様な斜視図。
【図３】
印刷媒体のない図２のパック。
【図４】
図１のパックの側面図。
【図５】
パックの別の模範具体例の図４に対応する図。
【図６】
開放プロセスにある図１のパックの斜視図。
【図７】
開放プロセスにある図５のパックの斜視図。
【図８】
印刷媒体を備えるパックの製造装置の概略的側面図。
【図９】
パックの外側包装材用のフィルムウエブの一部。
【図１】
2004526633.tif 000003
【図２】
2004526633.tif 000004
【図３】
2004526633.tif 000005
【図４】
2004526633.tif 000006
【図５】
2004526633.tif 000007
【図６】
2004526633.tif 000008
【図７】
2004526633.tif 000009
【図８】
2004526633.tif 000010
【図９】
2004526633.tif 000011
【国際公開パンフレット】
2004526633.tif 000012
2004526633.tif 000013
2004526633.tif 000014
2004526633.tif 000015
2004526633.tif 000016
2004526633.tif 000017
2004526633.tif 000018
2004526633.tif 000019
2004526633.tif 000020
2004526633.tif 000021
2004526633.tif 000022
2004526633.tif 000023
2004526633.tif 000024
2004526633.tif 000025
2004526633.tif 000026
2004526633.tif 000027
2004526633.tif 000028
2004526633.tif 000029
2004526633.tif 000030
【国際公開パンフレット（コレクトバージョン）】
2004526633.tif 000031
2004526633.tif 000032
【国際調査報告】
2004526633.tif 000033
2004526633.tif 000034
2004526633.tif 000035
2004526633.tif 000036